(57)【要約】【課題】プリンタードライバーの印刷設定のルールを変更した場合、変更した印刷設定のルールを、それぞれのプリンタードライバーに一元的に適用させるべく管理する。【解決手段】プリンタードライバー１００は、印刷設定に関する印刷設定情報を表示し、印刷設定情報の変更を受付けるＵＩ部１０５と、印刷設定情報を通知し、更に、受付けた印刷設定情報の変更に関する変更情報を通知する第１の通知部と、変更情報の通知に対するメッセージを取得する第１の取得部と、取得したメッセージに応じて変更情報を処理するメッセージ処理部と、を備え、印刷設定変更許可ツール１５０は、通知される印刷設定情報および変更情報をそれぞれ取得する第２の取得部と、印刷設定に関する規則を保持し、取得した変更情報に対して規則および印刷設定情報に基づいて許諾の可否を判定する判定部と、判定部で判定した結果をメッセージとして通知する第２の通知部と、を備える。【選択図】図２
2010165140.tif 000002
【特許請求の範囲】
【請求項１】
印刷を制御する印刷制御装置と印刷設定の変更を許可する印刷設定許可装置とが通信可
能に接続された印刷システムであって、
前記印刷制御装置は、
印刷設定に関する印刷設定情報を表示し、前記印刷設定情報の変更を受付ける印刷設定
部と、
前記印刷設定情報を前記印刷設定許可装置に通知し、更に、受付けた前記印刷設定情報
の変更に関する変更情報を前記印刷設定許可装置に通知する第１の通知部と、
前記変更情報の通知に対して前記印刷設定許可装置から通知されるメッセージを取得す
る第１の取得部と、
取得した前記メッセージに応じて前記変更情報を処理するメッセージ処理部と、を備え
、
前記印刷設定許可装置は、
前記印刷制御装置から通知される前記印刷設定情報および前記変更情報をそれぞれ取得
する第２の取得部と、
前記印刷設定に関する規則を保持し、前記規則および前記印刷設定情報に基づいて前記
変更情報への変更の許諾の可否を判定する判定部と、
前記判定部で判定した結果を前記印刷制御装置に前記メッセージとして通知する第２の
通知部と、を備え、
前記メッセージ処理部は、前記印刷設定許可装置から通知される前記メッセージが前記
変更情報への変更を許諾する場合は、前記変更情報に基づいて前記印刷設定情報を変更し
、前記メッセージが前記変更情報への変更を許諾しない場合は、前記変更情報が示す変更
を拒絶することを特徴とする印刷システム。
【請求項２】
請求項１に記載の印刷システムにおいて、
前記第１の通知部は、
前記印刷設定情報を前記印刷設定許可装置に通知する印刷設定情報通知部と、
前記変更情報を前記印刷設定許可装置にイベント情報として通知するイベント通知部と
、を備えることを特徴とする印刷システム。
【請求項３】
請求項１乃至２のいずれかに記載の印刷システムにおいて、
前記メッセージ処理部は、
取得した前記メッセージを解析する解析部と、
前記解析部が解析した結果、前記メッセージが前記変更情報への変更を許諾する場合は
、前記変更情報が反映した前記印刷設定情報を設定する設定部と、
前記解析部が解析した結果、前記メッセージが前記変更情報への変更を許諾しない場合
は、前記変更情報が示す変更を禁止する情報を表示する表示部と、を備えることを特徴と
する印刷システム。
【請求項４】
請求項２に記載の印刷システムにおいて、
前記第２の取得部は、
前記印刷制御装置から通知される前記印刷設定情報を取得する印刷設定情報取得部と、
前記印刷制御装置から通知される前記イベント情報を取得するイベント取得部と、
取得した前記イベント情報から前記変更情報を取得する変更情報取得部と、を備えるこ
とを特徴とする印刷システム。
【請求項５】
請求項１乃至４のいずれか１項に記載の印刷システムにおいて、
前記規則は、前記印刷設定の禁則に関する情報が所定のファイルに予め記載されており
、
前記判定部は、前記ファイルを読み込み、前記変更情報が示す変更が禁止される場合は
、前記変更情報への変更を許諾しない判定を行うことを特徴とする印刷システム。
【請求項６】
請求項５に記載の印刷システムにおいて、
前記規則は、前記印刷制御装置の属性や、前記印刷制御装置を使用するユーザーに応じ
て前記禁則を規定することを特徴とする印刷システム。
【請求項７】
請求項１乃至６のいずれか１項に記載の印刷システムにおいて、
前記規則は、所定の権限を有する管理者により決定されることを特徴とする印刷システ
ム。
【請求項８】
通信可能に接続された印刷制御装置と印刷設定許可装置とにより、印刷に関する設定を
行う印刷設定方法であって、
前記印刷制御装置が印刷設定に関する印刷設定情報を表示し、前記印刷設定情報の変更
を受付ける工程と、
前記印刷制御装置が前記印刷設定情報を前記印刷設定許可装置に通知する工程と、
前記印刷制御装置が受付けた前記印刷設定情報の変更に関する変更情報を前記印刷設定
許可装置に通知する工程と、
前記印刷設定許可装置が前記印刷設定情報を取得する工程と、
前記印刷設定許可装置が前記変更情報を取得する工程と、
前記印刷設定許可装置が保持する規則および前記印刷設定情報に基づいて、前記変更情
報への変更の許諾の可否を前記印刷設定許可装置が判定する工程と、
前記印刷設定許可装置が判定した結果をメッセージとして前記印刷制御装置に通知する
工程と、
前記印刷制御装置が前記メッセージを取得する工程と、
取得した前記メッセージが前記変更情報への変更を許諾する場合、前記変更情報に基づ
いて前記印刷設定情報を前記印刷制御装置が変更する工程と、
取得した前記メッセージが前記変更情報への変更を許諾しない場合、前記変更情報が示
す変更を前記印刷制御装置が拒絶する工程と、を備えることを特徴とする印刷設定方法。
【発明の詳細な説明】
【技術分野】
【０００１】
本発明は、印刷システムおよび印刷設定方法に関する。
【背景技術】
【０００２】
プリンターをコンピューターに接続し、コンピューターで作成した印刷データをプリン
ターに印刷しようとする際、コンピューターに、プリンターの機種毎に用意されたプリン
タードライバーと呼ばれるソフトウェアを組み込む必要がある。そして、このプリンター
ドライバーを用いて、印刷する用紙やレイアウトなどの各種情報をコンピューターに対し
て設定する処理を行うことにより、プリンターを用いた印刷の準備が整う。
このようなプリンターの設定は、下記特許文献１に示すように、ユーザーが所定の操作
を行うことにより、コンピューターの画面上にプリンタープロパティのウィンドウを表示
し、このプリンタープロパティに表示されるユーザーインターフェイスを介してユーザー
が操作することで実現される。
例えば、ユーザーが使用するコンピューターのＯＳ（Ｏｐｅｒａｔｉｎｇ  Ｓｙｓｔｅ
ｍ）がＷｉｎｄｏｗｓ（登録商標）の場合、ユーザーインターフェイスを介して変更でき
る印刷設定は、プリンタードライバー毎に予め決定されており、ユーザーは、プリンター
ドライバーが許可する印刷設定を対象として、設定の変更を行うことができる。そして、
印刷設定に関する情報は、印刷設定に関する情報が記憶されたデータベースであるＤｅｖ
Ｍｏｄｅ構造体に収納された後、プリンタードライバーの印刷制御部に送られ、ＤｅｖＭ
ｏｄｅ構造体に収納された情報に基づいてジョブデータが生成される。
【０００３】
【特許文献１】特開２００３−３１６５３７号公報
【発明の開示】
【発明が解決しようとする課題】
【０００４】
しかしながら、印刷設定を変更できる範囲は、ユーザーがコンピューターに組み込んだ
プリンタードライバーに依存するため、プリンタードライバーを組み込んだ後、印刷設定
が変更できる範囲や項目を変更することは困難であり、組み込んだプリンタードライバー
を一度削除した後、変更した範囲や項目に対応したプリンタードライバーを再度コンピュ
ーターに組み込む必要があるため、このような作業に多くの手間と費用を要した。
【課題を解決するための手段】
【０００５】
本発明は、上述の課題の少なくとも一部を解決するためになされたものであり、以下の
形態または適用例として実現することが可能である。
【０００６】
［適用例１］
本適用例にかかる印刷システムは、印刷を制御する印刷制御装置と印刷設定の変更を許
可する印刷設定許可装置とが通信可能に接続された印刷システムであって、前記印刷制御
装置は、印刷設定に関する印刷設定情報を表示し、前記印刷設定情報の変更を受付ける印
刷設定部と、前記印刷設定情報を前記印刷設定許可装置に通知し、更に、受付けた前記印
刷設定情報の変更に関する変更情報を前記印刷設定許可装置に通知する第１の通知部と、
前記変更情報の通知に対して前記印刷設定許可装置から通知されるメッセージを取得する
第１の取得部と、取得した前記メッセージに応じて前記変更情報を処理するメッセージ処
理部と、を備え、前記印刷設定許可装置は、前記印刷制御装置から通知される前記印刷設
定情報および前記変更情報をそれぞれ取得する第２の取得部と、前記印刷設定に関する規
則を保持し、前記規則および前記印刷設定情報に基づいて前記変更情報への変更の許諾の
可否を判定する判定部と、前記判定部で判定した結果を前記印刷制御装置に前記メッセー
ジとして通知する第２の通知部と、を備え、前記メッセージ処理部は、前記印刷設定許可
装置から通知される前記メッセージが前記変更情報への変更を許諾する場合は、前記変更
情報に基づいて前記印刷設定情報を変更し、前記メッセージが前記変更情報への変更を許
諾しない場合は、前記変更情報が示す変更を拒絶することを特徴とする。
【０００７】
このような構成によれば、印刷設定に関する印刷設定情報と、印刷設定の変更情報とが
印刷設定許可装置に通知され、印刷設定許可装置は、印刷設定に関する規則を保持し、通
知された印刷設定情報と保持する規則とに基づいて、通知された変更情報への変更の許諾
の可否を判定し、判定結果をメッセージとして印刷制御装置に通知する。印刷制御装置は
、通知されたメッセージが変更情報への変更を許諾する場合は、変更情報に基づいて印刷
設定情報を変更し、通知されたメッセージが変更情報への変更を許諾しない場合は、変更
情報が示す変更を拒絶する。従って、印刷設定に関する規則は、印刷設定許可装置に保持
されているため、印刷制御装置側を更新することなく、印刷設定に関する規則を印刷設定
許可装置側で容易かつ安価に管理できる。
【０００８】
［適用例２］
上記適用例にかかる印刷システムにおいて、前記第１の通知部は、前記印刷設定情報を
前記印刷設定許可装置に通知する印刷設定情報通知部と、前記変更情報を前記印刷設定許
可装置にイベント情報として通知するイベント通知部と、を備えても良い。
【０００９】
［適用例３］
上記適用例にかかる印刷システムにおいて、前記メッセージ処理部は、取得した前記メ
ッセージを解析する解析部と、前記解析部が解析した結果、前記メッセージが前記変更情
報への変更を許諾する場合は、前記変更情報が反映した前記印刷設定情報を設定する設定
部と、前記解析部が解析した結果、前記メッセージが前記変更情報への変更を許諾しない
場合は、前記変更情報が示す変更を禁止する情報を表示する表示部と、を備えても良い。
【００１０】
［適用例４］
上記適用例にかかる印刷システムにおいて、前記第２の取得部は、前記印刷制御装置か
ら通知される前記印刷設定情報を取得する印刷設定情報取得部と、前記印刷制御装置から
通知される前記イベント情報を取得するイベント取得部と、取得した前記イベント情報か
ら前記変更情報を取得する変更情報取得部と、を備えても良い。
【００１１】
［適用例５］
上記適用例にかかる印刷システムにおいて、前記規則は、前記印刷設定の禁則に関する
情報が所定のファイルに予め記載されており、前記判定部は、前記ファイルを読み込み、
前記変更情報が示す変更が禁止される場合は、前記変更情報への変更を許諾しない判定を
行うことが好ましい。
このような構成によれば、ファイルに記載された情報を変更することにより、印刷設定
の禁則に関する情報を容易に変更できる。
【００１２】
［適用例６］
上記適用例にかかる印刷システムにおいて、前記規則は、前記印刷制御装置の属性や、
前記印刷制御装置を使用するユーザーに応じて前記禁則を規定することが好ましい。
このような構成によれば、印刷制御装置の属性や、印刷制御装置を使用するユーザーに
応じて印刷設定の禁則を規定できる。
【００１３】
［適用例７］
上記適用例にかかる印刷システムにおいて、前記規則は、所定の権限を有する管理者に
より決定されても良い。
【００１４】
［適用例８］
本適用例にかかる印刷設定方法は、通信可能に接続された印刷制御装置と印刷設定許可
装置とにより、印刷に関する設定を行う印刷設定方法であって、前記印刷制御装置が印刷
設定に関する印刷設定情報を表示し、前記印刷設定情報の変更を受付ける工程と、前記印
刷制御装置が前記印刷設定情報を前記印刷設定許可装置に通知する工程と、前記印刷制御
装置が受付けた前記印刷設定情報の変更に関する変更情報を前記印刷設定許可装置に通知
する工程と、前記印刷設定許可装置が前記印刷設定情報を取得する工程と、前記印刷設定
許可装置が前記変更情報を取得する工程と、前記印刷設定許可装置が保持する規則および
前記印刷設定情報に基づいて、前記変更情報への変更の許諾の可否を前記印刷設定許可装
置が判定する工程と、前記印刷設定許可装置が判定した結果をメッセージとして前記印刷
制御装置に通知する工程と、前記印刷制御装置が前記メッセージを取得する工程と、取得
した前記メッセージが前記変更情報への変更を許諾する場合、前記変更情報に基づいて前
記印刷設定情報を前記印刷制御装置が変更する工程と、取得した前記メッセージが前記変
更情報への変更を許諾しない場合、前記変更情報が示す変更を前記印刷制御装置が拒絶す
る工程と、を備えることを特徴とする。
【００１５】
このような方法によれば、印刷設定に関する印刷設定情報と、印刷設定の変更情報とが
印刷設定許可装置に通知され、印刷設定許可装置は、印刷設定に関する規則を保持し、通
知された印刷設定情報と保持する規則とに基づいて、通知された変更情報への変更の許諾
の可否を判定し、判定結果をメッセージとして印刷制御装置に通知する。印刷制御装置は
、通知されたメッセージが変更情報への変更を許諾する場合は、変更情報に基づいて印刷
設定情報を変更し、通知されたメッセージが変更情報への変更を許諾しない場合は、変更
情報が示す変更を拒絶する。従って、印刷設定に関する規則は、印刷設定許可装置に保持
されているため、印刷制御装置側を更新することなく、印刷設定に関する規則を印刷設定
許可装置側で容易かつ安価に管理できる。
【発明を実施するための最良の形態】
【００１６】
以下、印刷システムについて図面を参照して説明する。
【００１７】
（実施形態）
図１は、印刷システム５の概要を示す図である。この印刷システム５は、コンピュータ
ー１（１０Ａ）、コンピューター２（１０Ｂ）、コンピューター３（１０Ｃ）および管理
コンピューター３０が、ネットワーク１９０を介してそれぞれ通信可能に接続されている
。コンピューター１（１０Ａ）、コンピューター２（１０Ｂ）、コンピューター３（１０
Ｃ）および管理コンピューター３０は、図示を略すが、それぞれＣＰＵ（Ｃｅｎｔｒａｌ
Ｐｒｏｃｅｓｓｉｎｇ  Ｕｎｉｔ）、ＲＡＭ（Ｒａｎｄｏｍ  Ａｃｃｅｓｓ  Ｍｅｍｏ
ｒｙ）、ＲＯＭ（Ｒｅａｄ  Ｏｎｌｙ  Ｍｅｍｏｒｙ）、ＨＤＤ（Ｈａｒｄ  Ｄｉｓｋ  
Ｄｒｉｖｅ）およびネットワーク通信装置等からなるハードウェア資源と、ＲＯＭやＨＤ
Ｄ等に記憶された種々のソフトウェアとが有機的に協働することにより、種々の機能を実
現している。また、コンピューター１（１０Ａ）、コンピューター２（１０Ｂ）、コンピ
ューター３（１０Ｃ）および管理コンピューター３０には、それぞれモニター２０と、図
示を略したキーボードやマウス等が接続され、ユーザー１、ユーザー２、ユーザー３およ
び管理者等により操作される。
【００１８】
更に、コンピューター１（１０Ａ）、コンピューター２（１０Ｂ）およびコンピュータ
ー３（１０Ｃ）には、それぞれプリンター１（１５Ａ）、プリンター２（１５Ｂ）および
プリンター３（１５Ｃ）が接続されると共に、それぞれのプリンターに応じて印刷を制御
するプリンタードライバー１００（図２）がインストールされている。また、管理コンピ
ューター３０には、それぞれのプリンタードライバー１００を介した印刷設定を許可する
印刷設定変更許可ツール１５０（図２）がインストールされている。
尚、コンピューター（１０Ａ，１０Ｂ，１０Ｃ）の台数は３台には限定されず、１台を
含む任意に台数が想定できる。また、プリンター１（１５Ａ）、プリンター２（１５Ｂ）
およびプリンター３（１５Ｃ）は、同一の機種であっても良く、異なる機種であっても良
い。更に、これらの印字方式は、限定されず、インクジェット方式であっても良く、レー
ザー方式であっても良い。
【００１９】
図２は、各コンピューター（１０Ａ，１０Ｂ，１０Ｃ）にインストールされたプリンタ
ードライバー１００と、管理コンピューター３０にインストールされた印刷設定変更許可
ツール１５０の機能を説明するブロック図である。
最初に、プリンタードライバー１００の機能について説明する。プリンタードライバー
１００は、ＵＩ部１０５、イベント通知部１１０、設定情報通知部１２０、メッセージ情
報取得部１２５、ＤｅｖＭｏｄｅ設定部１３０、メッセージ情報解析部１３５、印刷制御
部１４０およびメッセージ表示部１４５を備える。
ＵＩ部１０５は、現在設定されている印刷設定をユーザーインターフェイスとしてユー
ザーに表示すると共に、ユーザーからの指示に応じて印刷設定を変更する印刷設定部とし
て機能する。ここで、印刷設定とは、印刷する用紙サイズや両面印刷等の印刷様態を含む
設定である。現在設定されている印刷設定の情報（ＤｅｖＭｏｄｅ情報）は、レジストリ
ーと呼ばれる記憶領域に記憶されており、ＤｅｖＭｏｄｅ構造体に収納された様態で、例
えば、プリンタードライバー１００の起動時に読み込まれる。読み込まれたＤｅｖＭｏｄ
ｅ情報は、設定情報通知部１２０に送られると共に、ユーザーがアプリケーションのメニ
ュー等から印刷設定を選択することで起動されるプロパティ（図示は略す。）に反映され
る。ユーザーは、プロパティを介して印刷設定を指示できる。ユーザーにより変更された
印刷設定を示す変更情報は、イベント通知部１１０に送られ、イベントとして印刷設定変
更許可ツール１５０に通信により通知される。
【００２０】
設定情報通知部１２０は、ＵＩ部１０５から送られるＤｅｖＭｏｄｅ情報を印刷設定変
更許可ツール１５０に通信により通知する。尚、イベント通知部１１０および設定情報通
知部１２０は、第１の通知部として機能する。
メッセージ情報取得部１２５は、第１の取得部として機能し、印刷設定変更許可ツール
１５０から通信により通知されるメッセージを取得し、取得したメッセージをメッセージ
情報解析部１３５に送る。
メッセージ情報解析部１３５は、メッセージ情報取得部１２５から送られるメッセージ
を解析し、印刷設定変更許可ツール１５０が印刷設定の変更を許諾したか、否かを判定す
る。判定の結果、印刷設定の変更を許諾した場合、ＤｅｖＭｏｄｅ設定部１３０に対して
、ＵＩ部１０５で変更された印刷設定をＤｅｖＭｏｄｅ情報に反映させるべく指示する。
また、判定の結果、印刷設定の変更を許諾しない場合、メッセージ表示部１４５に対して
、ＵＩ部１０５で変更された印刷設定は許可されない旨のメッセージを表示させるべく指
示する。
ＤｅｖＭｏｄｅ設定部１３０は、メッセージ情報解析部１３５からの指示に応じて、Ｕ
Ｉ部１０５で変更された印刷設定をＤｅｖＭｏｄｅ情報に反映すべく設定する。ここで設
定されたＤｅｖＭｏｄｅ情報は、印刷制御部１４０に参照される。尚、メッセージ情報解
析部１３５、ＤｅｖＭｏｄｅ設定部１３０およびメッセージ表示部１４５は、メッセージ
処理部として機能する。
印刷制御部１４０は、ＤｅｖＭｏｄｅ情報を参照し、ＤｅｖＭｏｄｅ情報が示す印刷設
定に従い、印刷ジョブを生成してプリンター１５に送る。ここで、ＤｅｖＭｏｄｅ情報は
、印刷設定の変更が許諾された場合は、ＤｅｖＭｏｄｅ設定部１３０で設定されたＤｅｖ
Ｍｏｄｅ情報を参照し、印刷設定の変更が許諾されない場合は、ＵＩ部１０５が保持する
ＤｅｖＭｏｄｅ情報を参照する。プリンター１５は、印刷ジョブに従い、印刷画像を用紙
に転写して排出する。
【００２１】
メッセージ表示部１４５は、メッセージ情報解析部１３５からの指示に応じて、変更し
た印刷設定が許可されない旨のメッセージをモニター２０に表示する。例えば、選択され
ている用紙サイズが「ハガキ」であり、両面印刷の設定を行った場合、モニター２０には
、「現在設定されている用紙サイズは、両面印刷できません。」と印刷設定が禁止される
旨のメッセージがメッセージボックス（図示は略す。）に表示される。
次に、印刷設定変更許可ツール１５０の機能について説明する。印刷設定変更許可ツー
ル１５０は、イベント取得部１５５、変更情報取得部１６０、設定情報取得部１６５、メ
ッセージ情報通知部１７０、変更可否判定部１７５および印刷設定ルール記載ファイル１
８０を備える。
イベント取得部１５５は、イベント通知部１１０から通信により送られるイベントを取
得し、取得したイベントを変更情報取得部１６０に送る。
【００２２】
変更情報取得部１６０は、取得したイベントから、ユーザーが変更しようとしている印
刷設定の変更情報を取得する。取得した印刷設定の変更情報は、変更可否判定部１７５に
送る。
設定情報取得部１６５は、設定情報通知部１２０から通信により通知されるＤｅｖＭｏ
ｄｅ情報を取得する。取得したＤｅｖＭｏｄｅ情報は、変更可否判定部１７５に送る。尚
、イベント取得部１５５、変更情報取得部１６０および設定情報取得部１６５は、第２の
取得部として機能する。
印刷設定ルール記載ファイル１８０は、プリンタードライバー１００に対応した印刷設
定に関して、禁則ルールが所定の形式で記述されている。本実施形態では、この印刷設定
ルール記載ファイル１８０は、ＸＭＬ（ｅｘｔｅｎｓｉｂｌｅ  ｍａｒｋｕｐ  ｌａｎｇ
ｕａｇｅ）言語で記述され、管理者は、適切なファイル書き換えツール１８５を用いて、
印刷設定に関する禁則ルールを変更できる。この印刷設定ルール記載ファイル１８０に記
載される禁則ルールは、プリンター１５の機種毎、プリンタードライバー１００のバージ
ョン毎またはユーザー毎に異なっても良い。
変更可否判定部１７５は、設定情報取得部１６５から送られるＤｅｖＭｏｄｅ情報と、
印刷設定ルール記載ファイル１８０に記載されたルールとに基づいて、変更情報取得部１
６０から送られる印刷設定の変更情報が示す変更を許諾するか、否かを判定する判定部で
ある。この場合、変更可否判定部１７５は、印刷設定ルール記載ファイル１８０を開いて
印刷設定の変更情報と順次比較し、この変更情報が禁則ルールに該当するか、否かを判定
する。
【００２３】
メッセージ情報通知部１７０は、第２の通知部として機能し、変更可否判定部１７５の
判定結果を、所定のメッセージの形式に変換し、通信によりプリンタードライバー１００
に通知する。
図３は、印刷システム５における、プリンタードライバー１００と印刷設定変更許可ツ
ール１５０との間の処理の流れを示すフローチャートである。
最初に、プリンタードライバー１００は、プリンター１５に対応する印刷設定情報であ
るＤｅｖＭｏｄｅ情報を取得する（ステップＳ２００）。次に、プリンタードライバー１
００は、取得したＤｅｖＭｏｄｅ情報を印刷設定変更許可ツール１５０に通知し（ステッ
プＳ２０５）、印刷設定変更許可ツール１５０はＤｅｖＭｏｄｅ情報を取得する（ステッ
プＳ２１０）。
次に、ユーザー操作により、プリンタードライバー１００の印刷設定が変更される（ス
テップＳ２１５）。続いて、プリンタードライバー１００は、印刷設定が変更されたこと
を示すイベントを印刷設定変更許可ツール１５０に通知する（ステップＳ２２０）。
印刷設定変更許可ツール１５０は、通知されるイベントを取得し（ステップＳ２２５）
、ユーザーが変更しようとしている印刷設定の変更情報を取得する（ステップＳ２３０）
。続いて、印刷設定変更許可ツール１５０は、印刷設定ルール記載ファイル１８０に記載
された印刷設定ルールを読み込み（ステップＳ２３５）、読み込んだ印刷設定ルールと、
ＤｅｖＭｏｄｅ情報とを参照して、ユーザーが変更しようとしている印刷設定の変更の可
否を判定する（ステップＳ２４０）。次に、印刷設定変更許可ツール１５０は、判定した
結果をプリンタードライバー１００にメッセージとして通知する（ステップＳ２４５）。
【００２４】
次に、プリンタードライバー１００は、判定結果を示すメッセージを取得し（ステップ
Ｓ２５０）、判定結果に応じた動作を行う（ステップＳ２５５）。即ち、本実施形態では
、印刷設定の変更が許可される場合、変更された印刷設定はＤｅｖＭｏｄｅ情報に反映さ
れる。他方で、印刷設定の変更が許可されない場合、変更された印刷設定は許可されない
旨のメッセージが表示される。
尚、本実施形態では、印刷設定の変更が許可される場合も、プリンタードライバー１０
０に対してメッセージが通知されたが、印刷設定の変更が許可されない場合に限り、プリ
ンタードライバー１００に対してメッセージが通知されるような様態であっても良い。
【００２５】
以上述べた実施形態によれば、コンピューター１０にインストールされたプリンタード
ライバー１００の印刷設定に関する情報は、印刷設定ルール記載ファイル１８０に記述さ
れ、この印刷設定ルール記載ファイル１８０は、管理コンピューター３０で一元的に管理
されるため、印刷設定ルールを改変した場合、改変した印刷設定ルールをそれぞれのコン
ピューター１０に容易に適用させることができる。従って、ユーザーによりコンピュータ
ー１０にインストールされたプリンタードライバー１００の印刷設定に関する機能変更を
行う場合、プリンタードライバー１００を再インストールさせる必要が無く、簡便に行う
ことができると共に、プリンタードライバー１００の印刷設定に関する機能変更に必要な
コストを低減させることができる。
【図面の簡単な説明】
【００２６】
【図１】本発明の実施形態に係る印刷システムの概要を示す図。
【図２】プリンタードライバーと印刷設定変更許可ツールの機能を示すブロック図。
【図３】プリンタードライバーと印刷設定変更許可ツールとの間の処理の流れを示すフローチャート。
【符号の説明】
【００２７】
５…印刷システム、１５…プリンター、２０…モニター、３０…管理コンピューター、
１００…プリンタードライバー、１０５…ＵＩ部、１１０…イベント通知部、１２０…設
定情報通知部、１２５…メッセージ情報取得部、１３０…ＤｅｖＭｏｄｅ設定部、１３５
…メッセージ情報解析部、１４０…印刷制御部、１４５…メッセージ表示部、１５０…印
刷設定変更許可ツール、１５５…イベント取得部、１６０…変更情報取得部、１６５…設
定情報取得部、１７０…メッセージ情報通知部、１７５…変更可否判定部、１８０…印刷
設定ルール記載ファイル、１８５…ファイル書き換えツール、１９０…ネットワーク。
【図１】
2010165140.tif 000003
【図２】
2010165140.tif 000004
【図３】
2010165140.tif 000005